(57)【要約】【課題】画像形成装置において、異常発生によって中断された画像形成を自動的に効率よく再開させる。【解決手段】画像形成装置１の画像読取部２０は、原稿を読み取って画像データを取得し、記憶部１２０は画像形成すべき部数の情報を含むジョブデータを記憶する。プリント部４０は、これらの画像データとジョブデータに基づいて用紙Ｐに画像形成を行い、異常検知部４５はプリント部４０の異常を検知する。制御部１１０は、異常検知部４５によって異常が検知されるとプリント部４０による画像形成を停止させ、この停止させた際の未出力部数と未出力枚数を記憶部１２０に記憶させる。【選択図】図７
2010151883.tif 000002
【特許請求の範囲】
【請求項１】
画像形成すべき部数の情報を含むジョブデータの入力を受け付ける画像形成装置であって、
前記ジョブデータに基づいて用紙に画像形成を行うプリント部と、
前記ジョブデータを記憶する記憶部と、
前記プリント部の異常を検知する異常検知部と、
前記異常検知部によって異常が検知されると前記プリント部による画像形成を停止させ、当該停止させた際に前記プリント部が前記記憶部に記憶されたジョブデータに基づいて画像形成していた場合、当該停止させた際の未出力部数と未出力枚数を前記記憶部に記憶させる制御部と、
を備えることを特徴とする画像形成装置。
【請求項２】
前記制御部は、前記記憶部に記憶された未出力部数と未出力枚数に基づいて前記プリント部に画像形成を再開させることを特徴とする請求項１に記載の画像形成装置。
【請求項３】
前記制御部は、前記記憶部に記憶された未出力部数と未出力枚数に基づいて前記プリント部に画像形成を再開させた場合、当該未出力部数と未出力枚数を前記記憶部から消去することを特徴とする請求項２に記載の画像形成装置。
【請求項４】
原稿を読み取って画像データを取得する画像読取部と、画像形成すべき部数の情報を含むジョブデータを記憶する記憶部と、前記画像読取部によって取得された画像データと前記記憶部に記憶されたジョブデータとに基づいて用紙に画像形成を行うプリント部と、前記プリント部の異常を検知する異常検知部と、を備える画像形成装置の画像を形成する方法であって、
前記画像形成装置によって、前記異常検知部によって異常が検知されると前記プリント部による画像形成を停止させ、当該停止させた際の未出力部数と未出力枚数を前記記憶部に記憶させる工程を有することを特徴とする画像形成方法。
【発明の詳細な説明】
【技術分野】
【０００１】
本発明は、画像形成装置、及び画像形成方法に関する。
【背景技術】
【０００２】
従来、ＰＣ（Personal Computer）とデータ送受信可能に接続された画像形成装置を複数のユーザで共用している。画像形成装置において紙詰まり等の異常が発生した場合には、画像形成装置は、モニタにエラー画面を表示して画像形成を中断する。各ユーザは、モニタに表示されたエラー画面に応じて、詰まった紙を除去する等して異常から復旧し、画像形成を再開させる。異常の要因によっては、復旧するために画像形成装置の電源スイッチをオフ／オンさせたり、操作パネルからの入力により画像形成装置の再起動が必要になることもある。この場合、部数等の情報を含むジョブデータが消去されてしまうため、異常復旧後に再印刷を行う際には、再度ジョブデータを入力しなおす必要がある。  
【０００３】
特許文献１には、画像形成装置の異常発生時に作成されたリカバリ情報に基づいて各種設定情報の再入力を行う技術が記載されている。
特許文献２には、画像形成装置において異常が復旧した際に、異常発生時に実行中であった処理対象ジョブを記憶手段から読み出して再出力する技術が記載されている。
特許文献３には、異常発生時に自動的に画像形成装置の再起動を行った後の再出力時に、原稿の再読み取りを行わずに、記憶手段に記憶された画像データに基づいて再出力する技術が記載されている。
【特許文献１】特開２００６−２２４３４４号公報
【特許文献２】特開２００５−１０７６３７号公報
【特許文献３】特開２００６−１２１１７７号公報
【発明の開示】
【発明が解決しようとする課題】
【０００４】
しかしながら、特許文献１に記載の技術では、リカバリ情報に基づいて各種設定情報のの再入力をすることはできるが、異常復旧後の再出力は自動化されておらず、ユーザは、ジョブデータ時の入力を行う必要がある。
【０００５】
特許文献２に記載の技術では、記憶手段から処理対象ジョブを読み出して再出力することはできるが、記憶手段に画像データも記憶しておかなければならず、また、再出力を何枚目から行えばよいかを判別することはできない。
【０００６】
特許文献３に記載の技術では、記憶手段に記憶された画像データを再出力することはできるが、画像形成装置が再起動されて異常が復旧した後には、入力操作が必要となり、自動的に再出力を行うことはできない。
【０００７】
本発明は上記課題に鑑みてされたものであり、その目的とするところは、画像形成装置において、異常発生によって中断された画像形成を自動的に効率よく再開させることである。
【課題を解決するための手段】
【０００８】
上記課題を解決するために、請求項１に記載の発明は、
画像形成すべき部数の情報を含むジョブデータの入力を受け付ける画像形成装置であって、
前記ジョブデータに基づいて用紙に画像形成を行うプリント部と、
前記ジョブデータを記憶する記憶部と、
前記プリント部の異常を検知する異常検知部と、
前記異常検知部によって異常が検知されると前記プリント部による画像形成を停止させ、当該停止させた際に前記プリント部が前記記憶部に記憶されたジョブデータに基づいて画像形成していた場合、当該停止させた際の未出力部数と未出力枚数を前記記憶部に記憶させる制御部と、
を備えることを特徴とする。
【０００９】
請求項２に記載の発明は、請求項１に記載の発明において、
前記制御部は、前記記憶部に記憶された未出力部数と未出力枚数に基づいて前記プリント部に画像形成を再開させることを特徴とする。
【００１０】
請求項３に記載の発明は、請求項２に記載の発明において、
前記制御部は、前記記憶部に記憶された未出力部数と未出力枚数に基づいて前記プリント部に画像形成を再開させた場合、当該未出力部数と未出力枚数を前記記憶部から消去することを特徴とする。
【００１１】
請求項４に記載の発明は、
原稿を読み取って画像データを取得する画像読取部と、画像形成すべき部数の情報を含むジョブデータを記憶する記憶部と、前記画像読取部によって取得された画像データと前記記憶部に記憶されたジョブデータとに基づいて用紙に画像形成を行うプリント部と、前記プリント部の異常を検知する異常検知部と、を備える画像形成装置の画像を形成する方法であって、
前記画像形成装置によって、前記異常検知部によって異常が検知されると前記プリント部による画像形成を停止させ、当該停止させた際の未出力部数と未出力枚数を前記記憶部に記憶させる工程を有することを特徴とする。
【発明の効果】
【００１２】
本発明によれば、画像形成装置において、異常発生によって中断された画像形成を自動的に効率よく再開させることができる。
【発明を実施するための最良の形態】
【００１３】
以下、図を参照して本発明の実施の形態を詳細に説明する。
まず、構成を説明する。
図１に、本実施の形態における画像形成装置１の概略断面構成図を示す。
【００１４】
図１に示すように、画像形成装置１は、本体部１ａと後処理部５０等を備える。
本体部１ａは、原稿ｄから画像を読み取り、読み取った画像を用紙Ｐに画像形成したり、外部装置等からのジョブデータや画像データの入力を受け付け、これらのデータに基づいて画像を用紙Ｐ上に形成したりする。後処理部５０は、本体部１ａによって画像が形成された用紙に後処理を施す。
【００１５】
本体部１ａは、画像読取部２０と、操作表示部３０と、プリント部４０と等を備えて構成される。
【００１６】
画像読取部２０は、ＡＤＦ（Auto Document Feeder）や紙検知センサ等の自動原稿送り部２１と読取部２２とを備える。
自動原稿送り部２１に載置された原稿ｄは、読取個所であるコンタクトガラスに搬送され、原稿ｄの片面又は両面の画像がＣＣＤ（Charge Coupled Device）２２ａによって原稿ｄの画像が読み取られる。ＣＣＤ２２ａによって読み取られる画像は、図形や写真等のイメージデータに限らず、文字や記号等のテキストデータ等も含まれる。
【００１７】
画像読取部２０により読み取られた画像（アナログ画像信号）は、後述する画像制御基板１００の読取処理部１４０に出力され、読取処理部１４０においてＡ／Ｄ変換され各種画像処理が施された後、プリント部４０に出力される。
【００１８】
操作表示部３０は、ＬＣＤ（Liquid Crystal Display）等の表示部３１、表示部３１を覆うように設けられたタッチパネル３２、その他図示しない操作キー群から構成され、ユーザからの指示を受け付け、その操作信号を制御部１１０に出力する。また、操作表示部３０は、制御部１１０から入力される表示信号に従って、各種操作指示や設定情報を入力するための各種設定画面や各種処理結果等を表示する。
【００１９】
表示部３１は、各種操作指示を示すボタンを複数有する操作画面を表示し、この各画面により受け付けられた指示を示す操作信号を後述する制御部１１０に対して出力する。
【００２０】
タッチパネル３２は、操作画面上の押下信号に基づいて操作画面上のボタンの選択指示を受け付ける。また、表示部３１に表示されたジョブデータ入力画面（図示せず）において、タッチパネル３２からジョブデータ（図３）を入力することができる。タッチパネル３２から入力されたジョブデータは、制御部１１０を介してプリント部４０に送信されたり、記憶部１２０に記憶されたりする。
【００２１】
プリント部４０は、入力されたジョブデータと画像データに基づいて、電子写真方式の画像形成処理を行うものであり、積載部４１、用紙搬送部４２、画像形成部４３、搬出部４４を備えて構成される。
【００２２】
積載部４１は、複数の給紙トレイ、手差しトレイ、搬送部等を備える。給紙トレイは、それぞれ用紙の種類毎に予め識別された用紙Ｐを積載して格納している。手差しトレイは、様々な種類の用紙Ｐを積載可能となっている。搬送部は、制御部１１０の指示に基づいて、給紙トレイに格納された用紙Ｐ、又は手差しトレイに積載された用紙Ｐを最上部から一枚ずつ用紙搬送部４２に対して搬送する。
【００２３】
用紙搬送部４２は、積載部４１から搬送された用紙Ｐを、複数の中間ローラ、レジストローラ等を経て画像形成部４３へと搬送する。
また、用紙搬送部４２は、搬送路切換板により、片面画像形成処理済みの用紙Ｐを両面搬送路に搬送し、再び中間ローラ、レジストローラを経て画像形成部４３へと搬送する。
【００２４】
画像形成部４３は、感光体ドラム、帯電装置、レーザ光を出力するレーザ出力部とレーザ光を主走査方向に走査させるポリゴンミラーとを有する露光装置、現像装置、転写装置、クリーニング部、定着装置等を備える。
【００２５】
画像形成部４３は、帯電装置により帯電された感光体ドラムに露光装置でレーザ光を照射して静電潜像を形成する。そして、現像装置は、静電潜像が形成された感光体ドラムの表面に帯電したトナーを付着させて静電潜像を現像する。現像装置により感光体ドラム上に形成されたトナー像は、転写装置において用紙Ｐに転写される。また、用紙Ｐにトナー像が転写された後、感光体ドラムの表面の残留トナー等は、クリーニング部により除去される。
【００２６】
画像形成部４３の定着装置は、用紙搬送部４２によって搬送された用紙Ｐに転写されたトナー像を熱定着する。定着処理された用紙Ｐは、搬出部４４の排紙ローラに挟持されて搬出口から後処理部５０へ搬送される。
【００２７】
後処理部５０は、画像形成された用紙のソート処理を行うソートユニット、折処理を行う折ユニット、パンチ処理を行うパンチユニット、設定された綴じ位置に用紙の束を綴じるステイプル処理を行うステイプルユニット等の各種後処理ユニット、本体部１ａにより画像形成された用紙Ｐや各種後処理が施された用紙Ｐが排紙され積載される排紙トレイ等を備える。
【００２８】
図２に、画像形成装置１の制御ブロック図を示す。
図２に示すように、画像形成装置１は、本体部１ａとプリンタコントローラ１ｂと、本体部１ａに接続された後処理部５０から構成されている。画像形成装置１は、プリンタコントローラ１ｂのＬＡＮＩＦ（Local Area Network InterFace）１４を介してネットワーク３上のＰＣ２と相互にデータ送受信可能に接続されている。
【００２９】
本体部１ａは、画像読取部２０、操作表示部３０、プリント部４０、画像制御基板１００を備えて構成される。なお、図１で説明した各部と同一の構成には、同一の符号を付してその説明を省略する。
【００３０】
画像制御基板１００は、制御部１１０、記憶部１２０、ＲＡＭ（Random Access Memory）１３０、読取処理部１４０、圧縮ＩＣ１５０、ＤＲＡＭ（Dynamic Random Access Memory）制御ＩＣ１６０、画像メモリ１７０、伸長ＩＣ１８０、書込処理部１９０、から構成される。
【００３１】
制御部１１０は、ＣＰＵ（Central Processing Unit）等から構成され、記憶部１２０に格納されているシステムプログラム及び各種アプリケーションプログラムの中から指定されたプログラムを読み出してＲＡＭ１３０に展開し、ＲＡＭ１３０に展開されたプログラムとの協働で、各種処理を実行し、画像形成装置１の各部を集中制御する。
【００３２】
記憶部１２０は、本実施の形態に係る画像形成プログラムやジョブデータ等を記憶する。
【００３３】
図３に、ジョブデータのデータ格納例を示す。図３に示すように、ジョブデータは、メモリアドレスを示すアドレス、メモリアドレスに格納されたデータの内容を示すデータ内容、及び各データの値（実データ）であるパラメータ等から構成される。ジョブデータには、各ジョブにおいて出力すべき部数、画像形成する用紙Ｐを格納している積載部４１を指定するための選択トレイ、読み取った原稿ｄが両面／片面を示す原稿モード、用紙Ｐに画像形成する際の両面／片面を示すプリントモード、インクの濃度、後処理のためのページスタンプ等である。図３に示す例では、パラメータには、対応するデータ内容が取りうる値の範囲を示している。ジョブデータのパラメータは、この範囲の中のいずれかの値を取る。
【００３４】
ＲＡＭ１３０は、制御部１１０により実行される各種プログラム及びこれらプログラムに係る各種データ等を一時的に記憶するワークエリアとして機能する。
【００３５】
読取処理部１４０は、画像読取部２０の画像読取制御部２００から入力されるアナログ画像信号に、アナログ処理、Ａ／Ｄ変換処理、シェーディング処理等の各種処理を施した後、デジタル画像データを生成する。生成された画像データは、圧縮ＩＣ１５０に出力される。
【００３６】
圧縮ＩＣ１５０は、入力されたデジタル画像データに圧縮処理を施してＤＲＡＭ制御ＩＣ１６０に出力する。
【００３７】
ＤＲＡＭ制御ＩＣ１６０は、制御部１１０からの指示に従って、圧縮ＩＣ１５０による画像データの圧縮処理及び伸長ＩＣ１８０による圧縮画像データの伸長処理を制御するとともに、画像メモリ１７０への画像データの入出力制御を行う。
例えば、画像読取部２０により読み取られた画像データの保存が指示されると、読取処理部１４０から入力された画像データの圧縮処理を圧縮ＩＣ１５０により実行させて、圧縮画像データを画像メモリ１７０の圧縮メモリ１７１に記憶させる。また、圧縮メモリ１７１に記憶された圧縮画像データのプリント出力が指示されると、圧縮メモリ１７１から圧縮画像データを読み出し、伸長ＩＣ１８０により伸長処理を施してページメモリ１７２に記憶させる。さらに、ページメモリ１７２に格納された画像データのプリント出力が指示されると、ページメモリ１７２から画像データを読み出して書込処理部１９０に出力する。この画像データと制御部１１０を介して入力されるジョブデータ（図３）に基づいて画像形成が実行される。
【００３８】
画像メモリ１７０は、ＤＲＡＭ（Dynamic RAM）から構成される圧縮メモリ１７１とペ
ージメモリ１７２とを備える。圧縮メモリ１７１は、圧縮画像データを記憶するためのメモリであり、ページメモリ１７２は、プリント出力用の画像データ（画像データ）を一時的に記憶するためのメモリである。
【００３９】
伸長ＩＣ１８０は、圧縮画像データに伸長処理を施す。
【００４０】
書込処理部１９０は、ＤＲＡＭ制御ＩＣ１６０から入力された画像データに基づいて、画像形成のための画像データを生成し、プリント部４０に出力する。
【００４１】
画像読取部２０は、ＣＣＤ２２ａ、画像読取制御部２００等から構成される。画像読取制御部２００は、原稿面の露光走査を実行させ、光の反射光をＣＣＤ２２ａにより光電変換を行わせて画像を読み取る。読み取られたアナログ画像信号は、読取処理部１４０に出力される。
【００４２】
操作表示部３０は、表示部３１、タッチパネル３２、操作表示制御部３００、その他テンキー等の操作キー群から構成される。操作表示制御部３００は、制御部１１０から入力される表示信号に従って、各種設定条件を入力するための各種画面や各種処理結果等を表示部３１に表示させる。また、操作表示制御部３００は、各種スイッチやボタン、テンキー、操作キー群又はタッチパネル３２等から入力される操作信号を制御部１１０に出力する。
【００４３】
図４に、操作表示制御部３００の制御によって表示部３１に表示されるジョブ読出画面３１１を示す。ジョブ読出画面３１１は、記憶部１２０に記憶されたジョブデータや、前ジョブ読出しを実行するためのものである。前ジョブとは、画像形成装置１において直近に実行されたジョブのことであり、この前ジョブのジョブデータは記憶部１２０に記憶されている。前ジョブ読出しボタン３１１ａを選択し、ＯＫボタン３１１ｂを押下すると、記憶部１２０に記憶された前ジョブのジョブデータが読み出される。
【００４４】
図５に、操作表示制御部３００の制御によって表示部３１に表示されるコピー画面３１２を示す。コピー画面３１２は、画像読取部２０に原稿ｄを読み取らせ、プリント部４０に画像形成の開始を指示するための画面である。ジョブ読出画面３１１において、読み出すべきジョブが選択されて、ＯＫボタン３１１ｂが押下された場合には、この選択されたジョブデータに基づいた各種情報がコピー画面３１２に表示される。例えば、ジョブ読出画面３１１において、前ジョブ読出しボタン３１１ａが選択され、ＯＫボタン３１１ｂが押下された場合には、記憶部１２０に記憶された前ジョブのジョブデータが読み出されて、このジョブデータに対応する各パラメータ（部数等）が設定されてコピー画面３１２に表示される。
【００４５】
図６に、操作表示制御部３００の制御によって表示部３１に表示される異常検知画面３１３を示す。異常検知画面３１３は、画像形成時に異常検知部４５からプリント部４０の異常を検知した旨の信号が制御部１１０に対して入力された際に表示部３１に表示される画面である。本実施の形態において、異常検知の信号は２種類あるものとする。一方は、用紙搬送部４２において発生した紙づまり等の比較的軽微な異常であり、画像形成装置１のユーザによって復旧可能な異常である（異常検知Ａという）。他方は、部品交換が必要な場合等、システム再起動をしなければ復旧不可能な異常である（異常検知Ｂという）。これらの異常検知の信号は、異常が発生した構成部品や要因に応じて異常検知Ａであるか異常検知Ｂであるかが判断される。
【００４６】
異常検知画面３１３は、異常検知Ｂを示す旨の信号が制御部１１０に対して入力された際に表示部３１に表示される。また、制御部１１０は、異常検知Ａ又は異常検知Ｂを示す信号が入力された際には、プリント部４０の画像形成を停止させるよう制御する。画像形成装置１の電源ボタン（図示せず）をオフ／オン又はタッチパネル３２等からシステムの再起動指示を入力しなければ、表示部３１に表示された異常検知画面３１３の消去及び停止した画像形成の再開をすることはできない。
【００４７】
なお、ジョブ読出画面３１１とコピー画面３１２の表示切替はタッチパネル３２からの入力によって行うことができる。他にも、操作表示部３０を介してユーザ入力されたジョブデータを保存するジョブ保存機能の画面や機械状態を表示させるための画面（いずれも図示せず）も表示部３１に表示させることができ、同様にタッチパネル３２からの入力によって表示切替を行うことができる。
【００４８】
プリント部４０は、図１に示した画像形成部４３等のプリント出力に係る各部やプリント制御部４００を備えて構成される。プリント制御部４００は、制御部１１０からの指示に従って画像形成部４３等のプリント部４０の各部の動作を制御し、書込処理部１９０から入力された画像データに基づいて用紙Ｐに画像形成を行わせると共に、制御部１１０からの指示に従って後処理部５０の各部を動作させる指示信号を後処理制御部５００に出力する。
【００４９】
異常検知部４５は、プリント部４０を構成する各部の異常を検知するための温度センサ、紙検知センサ、トナー残量を検知するセンサ等から構成される。異常検知部４５は、異常を検知した場合、プリント制御部４００を介して制御部１１０に対して異常を検知した部品に応じた信号を送信する。
【００５０】
後処理部５０の各構成部は、後処理制御部５００により統括的に制御されている。後処理制御部５００は、制御部１１０からプリント制御部４００を介して入力される後処理の指示信号に応じて、用紙Ｐを搬送経路に沿って所定の後処理ユニットに搬送し、各部を駆動制御して用紙Ｐに所定の後処理を行わせ、排紙トレイに排紙させる制御を行う。
【００５１】
次に、プリンタコントローラ１ｂの各部について説明する。プリンタコントローラ１ｂは、画像形成装置１をネットワークプリンタとして使用する場合に、ネットワーク３に接続されるＰＣ２から画像形成装置１に対して入力される画像データやジョブの管理及び制御を行うものである。
【００５２】
プリンタコントローラ１ｂは、コントローラ制御部１１、ＤＲＡＭ制御ＩＣ１２、画像メモリ１３、ＬＡＮＩＦ１４から構成される。
【００５３】
コントローラ制御部１１は、プリンタコントローラ１ｂ各部の動作を統括的に制御し、ＬＡＮＩＦ１４を介して、ＰＣ２から入力されるデータをジョブとして本体部１ａへ送信する。
【００５４】
ＤＲＡＭ制御ＩＣ１２は、ＬＡＮＩＦ１４により受信されたデータの画像メモリ１３への格納や、画像メモリ１３からのデータの読み出しを制御する。また、ＤＲＡＭ制御ＩＣ１２は、画像制御基板１００のＤＲＡＭ制御ＩＣ１６０とＰＣＩ（Peripheral Components Interconnect）バスで接続されており、コントローラ制御部１１からの指示に従って、プリント対象のデータを画像メモリ１３から読み出してＤＲＡＭ制御ＩＣ１６０に出力する。
【００５５】
画像メモリ１３は、ＤＲＡＭから構成され、入力された出力データを一時的に格納する。
【００５６】
ＬＡＮＩＦ１４は、ＮＩＣ（Network Interface Card）やモデム等のＬＡＮ等のネットワーク３に接続するための通信インターフェイスであり、ＰＣ２からデータを受信する。受信されたデータは、ＤＲＡＭ制御ＩＣ１２に出力される。
【００５７】
次に、本実施の形態の動作を説明する。
図７に、前ジョブ読出指示が制御部１１０に対して指示された際に、制御部１１０によって実行されるリカバリ処理のフローチャートを示す。リカバリ処理は、制御部１１０と記憶部１２０に記憶されたプログラムとの協働により実行される。前ジョブ読出指示とは、ジョブ読出画面３１１の前ジョブ読出しボタン３１１ａが選択された状態で、ＯＫボタン３１１ｂが選択されることをいう。
【００５８】
図７に示すように、まず、記憶部１２０に記憶された前ジョブのジョブデータが読み出される（ステップＳ１）。画像形成のための各種設定が、読み出された前ジョブのジョブデータに変更される（ステップＳ２）。次いで、この読み出された前ジョブが、異常検知発生後の１回目の読出しであるか否かが判断される（ステップＳ３）。異常検知発生後の１回目の読出しとは、異常検知画面３１３が表示部３１に表示されて電源オフ／オンがなされ、画像形成装置１が再起動した後の１回目のジョブデータ読出しのことであり、記憶部１２０に記憶されたフラグ等に基づいて判断される。
【００５９】
異常検知発生後の１回目の読出しであると判断されない場合（ステップＳ３；ＮＯ）、読み出されたジョブデータに基づいて画像形成が開始される（ステップＳ４）。なお、画像形成のための画像データは、本処理とは別に画像読取部２０によって原稿ｄが読み取られ、画像メモリ１７０に記憶されている。画像形成の際には、画像メモリ１７０に記憶された画像データと、本処理で読み出されたジョブデータに基づいて画像形成が実行される。
【００６０】
この実行中のジョブデータが前ジョブとして記憶部１２０に記憶（登録）される（ステップＳ５）。異常検知が発生したか否かが判断される（ステップＳ６）。具体的には、制御部１１０に対して異常検知Ｂを示す旨の信号が入力されたか否かによって判断される。
【００６１】
異常検知が発生したと判断された場合（ステップＳ６；ＹＥＳ）、この異常検知されたジョブは、前ジョブ読出しされたジョブか否かが判断される（ステップＳ７）。前ジョブ読出しとは、ステップＳ１で読み出されたジョブのことである。
【００６２】
前ジョブ読出しされたジョブであると判断された場合（ステップＳ７）、異常検知して画像形成が停止した際における未出力部数と未出力枚数を記憶部１２０に記憶する（ステップＳ８）。未出力部数とは、ジョブデータの部数のパラメータのうち、まだ画像形成が終了していない部数である。未出力枚数とは、各部数の印刷枚数のうち、異常停止した際に画像形成が実行中だったの部の残りの印刷枚数である。例えば、印刷枚数が５０枚であり、ジョブデータのパラメータが５部であり、２部目の１７枚目の画像形成中に異常検知された場合には、未出力部数は４部であり、未出力枚数は３４枚となる。
【００６３】
異常検知が発生したと判断されない場合（ステップＳ６；ＮＯ）、前ジョブ読出しされたジョブであると判断されない場合（ステップＳ７；ＮＯ）、処理は終了する。前ジョブ読出しされたジョブであると判断されない場合とは、ステップＳ１において読み出された前ジョブと同時に実行されている他のジョブ等の場合である。
【００６４】
一方、異常検知発生後の１回目の読出しであると判断されない場合（ステップＳ３；ＹＥＳ）、記憶部１２０に、未出力部数の設定があるか否かが判断される（ステップＳ９）。この未出力部数の設定とは、前回リカバリ処理が実行された際に、ステップＳ８において記憶部１２０に記憶された未出力部数である。
【００６５】
未出力部数の設定があると判断された場合（ステップＳ９；ＹＥＳ）、表示部３１に確認画面（図示せず）が表示される（ステップＳ１０）。この確認画面は、未出力部数の設定が記憶部１２０にあり、この未出力部数と未出力枚数の設定に基づいて画像形成を継続してよいか否かを促すための画面である。
【００６６】
次いで、未出力部数の設定に対応する前ジョブを出力するか否かが判断される（ステップＳ１１）。出力すると判断されない場合（ステップＳ１１；ＮＯ）、処理は終了する。
出力すると判断された場合（ステップＳ１１；ＹＥＳ）、実行するジョブの設定部数等が未出力部数と未出力枚数に変更されて表示部３１にコピー画面３１２が表示される（ステップＳ１２）。
【００６７】
図８に、ステップＳ１２において表示部３１に表示されるコピー画面３１２に一例を示す。図８に示す例では、図５に示すコピー画面３１２に対応するジョブデータ（出力部数５部、出力枚数５０枚）の画像形成中に異常検知がされ、リカバリ処理が実行された際において、ステップＳ１２で表示部３１に表示されるコピー画面３１２の一例である。記憶部１２０に記憶された未出力部数は４部であり、未出力枚数は３４枚であり、これらの情報がコピー画面３１２に反映されて表示される。
【００６８】
未出力部数の設定があると判断されない場合（ステップＳ９；ＮＯ）、画像形成が開始される（ステップＳ１３）。ステップＳ４と同様に、画像データは、本処理とは別に原稿ｄが画像読取部２０によって読み込まれ、画像メモリ１７０に記憶されている。
【００６９】
画像形成が再開後の前ジョブの１部目であるか否かが判断される（ステップＳ１４）。１部目であると判断された場合（ステップＳ１４；ＹＥＳ）、記憶部１２０に、未出力枚数の設定があるか否かが判断される（ステップＳ１５）。
【００７０】
未出力枚数の設定があると判断された場合（ステップＳ１５；ＹＥＳ）、未出力枚数に対応するデータのみが画像形成される（ステップＳ１６）。図８に示した例の場合、２部目の１７枚目から画像形成が開始される。
【００７１】
一方、１部目であると判断されない場合（ステップＳ１４；ＮＯ）、未出力枚数の設定があると判断されない場合（ステップＳ１５；ＮＯ）、ジョブデータの全枚数が出力され（ステップＳ１７）、処理は終了する。
【００７２】
以上のように、本実施の形態における画像形成装置１によれば、異常検知部４５が異常を検知して画像形成が停止した際に、リカバリ処理によって記憶部１２０に未出力部数と未出力枚数を記憶するため、復旧後に画像形成を再開させる場合、何部目及び何枚目からを画像形成すべきかを記憶することができる。
【００７３】
また、記憶部１２０に記憶された未出力部数と未出力枚数に基づいて、異常検知の復旧後の画像形成を、異常検知して停止した時点の状態から自動的に再開させるため、最初からやりなおす必要がなくなり、無駄な画像形成をする可能性を防止するとともに、画像形成再開の際の出力部数の再入力操作をする必要がなくなり、容易に再印刷が可能となる。これらの未出力部数と未出力枚数は前ジョブ登録されたもののみであるため、前ジョブの再開をした場合に、停止直後の状態から再開することができる。
【００７４】
なお、上述した本実施の形態における記述は、本発明に係る好適な画像形成装置の一例であり、これに限定されるものではない。
例えば、ジョブデータには部数の情報が含まれていればよく、図３に示すデータ格納例に限られない。
【００７５】
また、表示部３１に表示される異常検知画面３１３の画面構成例は、図６に示す例に限られない。例えば、未出力部数、未出力枚数や画像形成中であったジョブデータの名前やユーザ名等が表示されるようにしてもよい。
【００７６】
また、本実施の形態における記憶部１２０以外のその他のコンピュータ読み取り可能な媒体として、ＳＤ（Secure Digital）カードやＵＳＢ（Universal Serial Bus）メモリのようなフラッシュメモリ等の不揮発性メモリ、ＣＤ−ＲＯＭ等の可搬型記録媒体を適用することが可能である。また、本発明に係るプログラムのデータや音声データ等の各種データを、搬送波（キャリアウェーブ）に重畳させて通信回線を介して提供することも可能である。
【００７７】
その他、画像形成装置１を構成する各装置の細部構成及び細部動作に関しても、本発明の趣旨を逸脱することのない範囲で適宜変更可能である。
【図面の簡単な説明】
【００７８】
【図１】本実施の形態における画像形成装置の概略断面構成を示す模式図である。
【図２】図１の画像形成装置の制御ブロック図である。
【図３】図２の記憶部に記憶されるジョブデータのデータ格納例である。
【図４】図２の表示部に表示されるジョブ読出画面の一例である。
【図５】図２の表示部に表示されるコピー画面の一例である。
【図６】図２の表示部に表示される異常検知画面の一例である。
【図７】本実施の形態におけるリカバリ処理を示すフローチャートである。
【図８】図２の表示部に表示されるコピー画面の一例である。
【符号の説明】
【００７９】
１  画像形成装置
１ａ  本体部
１ｂ  プリンタコントローラ
２  ＰＣ
３  ネットワーク
１１  コントローラ制御部
１２  ＤＲＡＭ制御ＩＣ
１３  画像メモリ
１４  ＬＡＮＩＦ
２０  画像読取部
２１  自動原稿送り部
２２  読取部
２２ａ  ＣＣＤ
２００  画像読取制御部
３０  操作表示部
３１  表示部
３１１  ジョブ読出画面
３１２  コピー画面
３１３  異常検知画面
３２  タッチパネル
３００  操作表示制御部
４０  プリント部
４１  積載部
４２  用紙搬送部
４３  画像形成部
４４  搬出部
４００  プリント制御部
５０  後処理部
６０  異常検知部
５００  後処理制御部
１００  画像制御基板
１１０  制御部
１２０  記憶部
１３０  ＲＡＭ
１４０  読取処理部
１５０  圧縮ＩＣ
１６０  ＤＲＡＭ制御ＩＣ
１７０  画像メモリ
１７１  圧縮メモリ
１７２  ページメモリ
１８０  伸長ＩＣ
１９０  書込処理部
【図１】
2010151883.tif 000003
【図２】
2010151883.tif 000004
【図３】
2010151883.tif 000005
【図４】
2010151883.tif 000006
【図５】
2010151883.tif 000007
【図６】
2010151883.tif 000008
【図７】
2010151883.tif 000009
【図８】
2010151883.tif 000010